(57)【要約】      （修正有）【課題】従来からある製品単一の構造材のみで造るのではなく、割材（角材を幾つかに挽き割った材を言う）と合板等を釘等で接着し造る枠組み梁により、広い空間を得るべく自重を軽く、外力に抵抗できる屋根構造を造る。【解決手段】必要寸法の割材２を組み合わせた枠組みに必要寸法に切断した合板を接着させ、組み合わせて造る枠組み梁で木質系山形ラーメンを造り、柱６を必要長さ寸法に切断し所定の位置に設置した一対の柱６の天端に載せかけ金物で補強し屋根構造体を構築し、山形アーチにすれば小屋裏が有効に使え、枠組み梁の耐力は梁成を高く取れば自重を格段に増すことなく強度を上げることも可能にする。【選択図】図１
2012184557.tif 000002
【特許請求の範囲】
【請求項１】
外力に抵抗する主要な割材（角材も可）、１対の上弦材、下弦材を必要長さによる外力に抵抗できるように間隔を空けて平行に、または不並行に並べ、その上弦材下弦材の位置、間隔を保持すべく短く切断した材を上弦材下弦材との間に一定の間隔に並べ釘等ではしご状に取り付けその上に合板を接着して造る枠組み梁二組を屋根棟部において合掌し、金物合板等で補強しできた木質系山形アーチ屋根構造の任意の位置に枠組み梁両端部を木質系山形アーチ構造部に釘、金物等で接着して三接点でのピン接合を造る木質系山形アーチ屋根構造。
【請求項２】
外力に抵抗する主要な割材をプレート、アングル等で補強した請求項1に記載した木質系山形アーチ屋根構造。
【発明の詳細な説明】
【技術分野】
【０００１】
本発明は木質枠組み梁で造る木質系山形アーチよる屋根構造に関するものである。
【背景技術】
【０００２】
従来倉庫等のような広い内部空間を得るための建築工法に水平ラーメン、トラス構造（例えば、特開文献１参照）
また、木構造部材を金具で剛接合されて形成された山形フレームによる工法がある。（例えば、特開文献２参照）
【０００３】
特許文献１の図１によると、図面はトラスの正面図で、屋根構造は主に横架材の陸梁と斜材の合掌等で構成されトラスの支持部は割材でされている。
【０００４】
特許文献２の図１によると、図は山形フレームの正面図で、屋根構造は主に斜めの合掌構造材を棟部分で剛接合して支持部は柱の天端に載せた桁材でされている。
【先行技術文献】
【特許文献】
【０００５】
【特許文献１】特開２０１１−０２１４４４号公報
【特許文献２】特開平１０−２９２５４６号公報
【発明の概要】
【発明が解決しようとする課題】
【０００６】
無駄の少ない内部空間を構築するには、小屋裏を有効に使用することが経済的であるが、以上述べた特許文献１の工法では横架材いわゆる陸梁が邪魔になった。
【０００７】
特許文献２に関しては無駄の少ない内部空間を構築することはできるが、広い内部空間を造るには、長尺の山形フレームの構造材を必要とし、部材断面もそれに伴い大きくなり、自重も嵩み、コストも割高になっていく。
【０００８】
本発明は、このような従来からある製品単一の構造材のみで造るのではなく、割材（角材を幾つかに挽き割った材を言う）と合板等を釘等で接着し造る枠組み梁により、広い空間を得るべく自重を軽く、外力に抵抗できる屋根構造を造ることを目的とする。
【課題を解決するための手段】
【０００９】
そのために、本発明の木質系山形アーチ屋根構造は、広い空間を得るために造る長尺スパン材に掛かる外力に抵抗できる枠組み梁の必要梁成を取るため１対の主要な割材、つまり上弦材、下弦材の間隔を空けて並べ、その材の位置、間隔を保持すべく、梁成長に切断した材を上弦材下弦材との間に一定の間隔で並べて釘等で接着補強しその全体を合板で補強し造る枠組み梁二組を屋根棟部において合掌し、棟部を金物、合板等で補強してピン接合の木質系山形アーチ屋根構造を造り、その木質系山形アーチ屋根構造上に水平の枠組み梁の両端部をそれぞれ釘金物等で接着し、すれば三接点がピン接合となり、木質系山形アーチ屋根構造は変形しない状態になり課題を解決できるため木質系山形アーチ屋根構造を提供する。
【発明の効果】
【００１０】
木質系山形アーチ屋根構造は殆ど割材と構造用合板で出来上がり、割材は間伐材を利用でき、長尺材のコストも割安で且つ切れ端材まで利用でき、廃りが少なく、また支柱を可能な必要長さまで短くすることもできる為外壁等の仕上げ面積を少なくでき、経済的効果がある。
【００１１】
また、割材と合板で造る枠組み梁の外力に対する強度は、割材の上弦下弦材の平行又は否並行よる並べ方の空き間隔、割材の断面積等で容易く調整でき、また、長尺による自重の増加率は少なく長スパンの枠組み梁ができる。
【００１２】
また、プレートやアングルで割材を予備的に補強もできるので枠組み梁の安全率も高くなる。
【図面の簡単な説明】
【００１３】
【図１】本発明の木質系山形アーチ屋根構造の正面図である。
【図２】本発明の木質系山形アーチ屋根構造の裏面である。
【図３】枠組み梁の詳細の斜視図
【図４】必要寸法に切断した構造用合板の斜視図。
【図５】必要寸法に組み立てた枠組み梁の下地の斜視図
【図６】枠組み梁の斜視図
【図７】枠組み梁棟合わせと補強材の斜視図
【図８】棟補強の斜視図
【図９】枠組み梁加工の斜視図
【図１０】本発明の木質系山形アーチ屋根構造利用の斜視図
【図１１】山形アーチの図
【発明を実施するための形態】
【００１４】
以下、本発明の実施の形態を図１〜図１０に基づいて説明する。
【実施例】
【００１５】
本発明の木質系山形アーチ屋根構造は対の枠組み梁を合掌し棟部で剛接合して出来上がるから、図５に示すように必要寸法に加工した割材を梯子状に組み図４に示す必要寸法に加工した構造用合板を接着し枠組み梁を造る。
【００１６】
まず枠組み梁の強度の問題を問われると思うが、例えば平成１９年９月１３日、高知県立森林技術センターでの載荷試験による枠組み梁曲げ強度試験の結果報告書一部によると、梁成３００ｍｍ割材杉１０５＊４０、構造用合板１２ｍｍ、ｃｎ６５ｍｍピッチ５０ｍｍ、スパン３５８０ｍｍで最大荷重２６．６ｋＮ、であったが数体からのデータを見ると最初の破壊はすべて構造用合板であった。
【００１７】
図１１は山形アーチの力学上の判定図で説明すればＣ−Ａ、Ｃ−Ｂは１対の合成梁で、棟Ｃ点で合掌している。つまり、Ａ，Ｂ，Ｃはピン接合でこの構造体は静定で、ＡＣ，ＣＢの間にＤＥを設置すれば△ＣＤＥは不静定つまり形が変形しないので木質山形アーチ屋根構造となり、構造計算の概算計算値が可能になる。
【００１８】
本発明の構造体は木質で軽量であるからいずれの場所の補強も釘、金物、同質材いずれの材料も安価で手に入り易く、また応力に対する枠組み梁の対応も簡単にできる。
【００１９】
まず、割材２を定尺に加工して、図５の梯子状に造り図１のごとく定尺に加工した構造用合板を釘等で接着し、次に、図７のごとく補強材４，５、ボルト等で補強し、山形アーチの本体を造り、（１）の水平合成梁の両端を山形アーチの本体に釘金物で接着し接着部分は釘、金物等で補強すればこの構造は一体となりそれを定位置にセットしてある柱に載せ金物で補強する。
【符号の説明】
【００２０】
１  構造用合板
２  割材
４  補強材
５  補強材
６  柱
７  補強材
８  母屋
（１）  水平合成梁
【図１】
2012184557.tif 000003
【図２】
2012184557.tif 000004
【図３】
2012184557.tif 000005
【図４】
2012184557.tif 000006
【図５】
2012184557.tif 000007
【図６】
2012184557.tif 000008
【図７】
2012184557.tif 000009
【図８】
2012184557.tif 000010
【図９】
2012184557.tif 000011
【図１０】
2012184557.tif 000012
【図１１】
2012184557.tif 000013